(57)【要約】【課題】  干渉雑音や熱雑音を低減すると共に中継利得を高くする。【解決手段】  対基地局アンテナ１０が形成するビームは基地局Ａに向けられている。対基地局アンテナ１１が形成するビームは基地局Ｂに向けられている。この結果、対基地局アンテナ１０で受信した信号を不感地帯や干渉地帯に中継する対子機アンテナ２０により基地局ＡのエリアＡが形成され、対基地局アンテナ１１で受信した信号を不感地帯や干渉地帯に中継する対子機アンテナ２１により基地局ＢのエリアＢが形成される。よって、不感地帯や干渉地帯のエリアＡとエリアＢとが重なる位置に位置する子機２４は、基地局Ａと基地局Ｂとを利用するソフトハンドオーバを行って通信することができるようになる。【選択図】  図１
2005252938.tif 000002
【特許請求の範囲】
【請求項１】
符号分割多元接続を利用する通信網における不感地帯や干渉地帯に設置するパッシブ中継装置であって、
受信可能エリアに設置され特定の複数の基地局からの到来波にそれぞれ向けたビームを形成している複数のアンテナからなる第１アンテナ部と、
不感地帯や干渉地帯に設置する前記第１アンテナ部のアンテナと同数本のアンテナからなる第２アンテナ部と、
前記第１アンテナ部の各アンテナと前記第２アンテナ部の各アンテナとの間を接続する接続手段とを備え、
前記第１のアンテナ部で受信した受信波が前記第２アンテナ部から再放射されることにより、前記不感地帯や干渉地帯において前記特定の複数の基地局を利用するソフトハンドオーバが可能となるようにしたことを特徴とするパッシブ中継装置。
【請求項２】
符号分割多元接続を利用する通信網における不感地帯や干渉地帯に設置するパッシブ中継装置であって、
受信可能エリアに設置され特定の基地局の複数のセクタからの到来波にそれぞれ向けたビームを形成している複数のアンテナからなる第１アンテナ部と、
不感地帯や干渉地帯に設置する前記第１アンテナ部のアンテナと同数本のアンテナからなる第２アンテナ部と、
前記第１アンテナ部の各アンテナと前記第２アンテナ部の各アンテナとの間を接続する接続手段とを備え、
前記第１のアンテナ部で受信した受信波が前記第２アンテナ部から再放射されることにより、前記不感地帯や干渉地帯において前記特定の基地局の複数のセクタを利用するソフターハンドオーバが可能となるようにしたことを特徴とするパッシブ中継装置。
【請求項３】
符号分割多元接続を利用する通信網における不感地帯や干渉地帯に設置するパッシブ中継装置であって、
受信可能エリアに設置され特定の複数の基地局からの到来波にそれぞれ向けたビームを形成しているアンテナと、特定の基地局の複数のセクタからの到来波にそれぞれ向けたビームを形成している複数のアンテナとからなる第１アンテナ部と、
不感地帯や干渉地帯に設置する前記第１アンテナ部のアンテナと同数本のアンテナからなる第２アンテナ部と、
前記第１アンテナ部の各アンテナと前記第２アンテナ部の各アンテナとの間を接続する接続手段とを備え、
前記第１のアンテナ部で受信した受信波が前記第２アンテナ部から再放射されることにより、前記不感地帯や干渉地帯において前記特定の複数の基地局を利用するソフトハンドオーバが可能となると共に、前記不感地帯や干渉地帯において前記特定の基地局の複数のセクタを利用するソフターハンドオーバが可能となるようにしたことを特徴とするパッシブ中継装置。
【発明の詳細な説明】
【技術分野】
【０００１】
本発明は、符号分割多元接続（ＣＤＭＡ）を利用する通信網における不感地帯や干渉地帯を解消するためのパッシブ中継装置に関し、Ｗ−ＣＤＭＡ（Wideband Code Division Multiple Access）を採用している携帯電話通信網に適用して好適なものである。
【背景技術】
【０００２】
現在、携帯電話機が普及しているが、携帯電話機においては、ユーザがどのような地域や場所にいても移動通信網にアクセスできることが望まれている。携帯電話機が移動通信網にアクセスするためには、携帯電話機が位置している場所が移動通信網のサービスエリア内である必要がある。また、サービスエリア内であっても、地下街やビル内等には多くの不感地帯や干渉地帯が存在する。このような不感地帯や干渉地帯の中でも特にトラフィックの多いエリアにおいては、基地局が設けられたり中継増幅器を利用した中継装置による不感地帯や干渉地帯解消の対策がなされている。
また、ＰＨＳ（Personal Handy-phone System）では、個人向けにチャンネル変換を行うことにより不感地帯や干渉地帯を解消するようにした中継器が提供されている。
【発明の開示】
【発明が解決しようとする課題】
【０００３】
中継増幅器を利用した中継装置の一例を図４に示す。図４に示す中継装置１００においては、不感地帯や干渉地帯の外側の受信可能エリアに対基地局アンテナ１０１を設置している。この基地局アンテナ１０１では不感地帯や干渉地帯の周辺に位置する基地局Ａ、基地局Ｂ、基地局Ｃと通信することが可能とされている。この対基地局アンテナ１０１で受信された信号は、双方向増幅器とされている中継増幅器１０２で増幅されて不感地帯や干渉地帯内に設置されている対子機アンテナ１０３から再放射されて中継される。この再放射された信号は不感地帯や干渉地帯に位置する子機１０４で受信することができる。また、子機１０４から送信された信号は対子機アンテナ１０３で受信され、中継増幅器１０２で増幅されて対基地局アンテナ１０１から再放射されて中継される。この場合、子機１０４は対基地局アンテナ１０１において基地局Ａないし基地局Ｃにおいて最も支配的（最も受信電力の大きい）な基地局のサービスエリアであるセルに属するようになり、子機１０４は対子機アンテナ１０３および対基地局アンテナ１０１を介して、子機１０４が属する基地局と通信を行うようになる。
【０００４】
ところで、携帯電話通信網の第３世代においては符号分割多元接続（ＣＤＭＡ）を利用する通信システムとされている。ＣＤＭＡは、スペクトル拡散を用いて多元接続を行う無線アクセス方式とされている。ＣＤＭＡにおいては、送信情報データ系列を情報データのシンボルレートに比較して高速なレートの拡散符号でスペクトル拡散することにより、広帯域の信号として伝送する。拡散符号は、ユーザ毎に固有のコードが割り当てられる。Ｗ−ＣＤＭＡ（Wideband Code Division Multiple Access）は、ＣＤＭＡを利用する携帯電話通信網であって、通信チャネル毎に固有の拡散符号が割り当てられている。図４に示す例では基地局Ａ、基地局Ｂ、基地局Ｃのセル毎に異なる拡散符号が使用される。
【０００５】
ところで、Ｗ−ＣＤＭＡにおいては非同期セル構成とされて１周波数繰り返しでセルに周波数が割り当てられることから、子機１０４が属する基地局に割り当てられている周波数は、他の子機が属する他の基地局に割り当てられている周波数と同じとなる。このため、中継装置１００において不感地帯や干渉地帯に中継された際に、他の基地局からの信号が子機１０４に対する干渉雑音として中継されるようになる。すなわち、対基地局アンテナ１０１で受信された信号は、干渉雑音となる成分も含めてそのまま中継増幅器１０２で増幅されて対子機アンテナ１０３から不感地帯や干渉地帯に中継される。このため、干渉雑音となる信号が届かない不感地帯や干渉地帯においても他の基地局からの干渉雑音を受けてしまうようになり、ＳＩＲ（信号対干渉雑音電力比）が良好にならず中継するサービスエリアが広くならないという問題点があった。また、不感地帯や干渉地帯を解消するための中継装置において、信号を増幅したりチャネル変換をして中継すると、その回路における能動素子から発生される熱雑音が信号に重畳されて中継装置から網側へ送出されるようになる。このため、網側のＳＩＲが低下することから高速な通信の伝送速度を確保できなくなるという問題点があった。さらに、中継装置に技術適合認定や無線局申請が必要になるという問題点があった。
【０００６】
そこで、本発明は符号分割多元接続を利用する通信網における不感地帯や干渉地帯に設置する中継装置であって、干渉雑音や熱雑音を低減できると共に中継利得の高い中継装置を提供することを目的としている。
【課題を解決するための手段】
【０００７】
上記目的を達成するために、本発明の中継装置は、特定の複数の基地局からの到来波にそれぞれ向けたビームを形成している複数のアンテナを備える能動回路を有しないパッシブ中継装置であって、不感地帯や干渉地帯において特定の複数の基地局を利用するソフトハンドオーバやソフターハンドオーバが可能となるようにしたことを最も主要な特徴としている。
【発明の効果】
【０００８】
本発明によれば、特定の複数の基地局からの到来波にそれぞれ向けたビームを形成している複数のアンテナを備えていることから、不感地帯や干渉地帯に干渉雑音成分が中継されることを極力防止することができるようになる。また、不感地帯や干渉地帯において特定の複数の基地局を利用するソフトハンドオーバやソフターハンドオーバが可能となるようにしたことから、中継利得が向上して不感地帯や干渉地帯におけるサービスエリアが拡大されるようになる。また、チャネル変換や増幅をしておらず、能動回路を有しないパッシブ中継装置であることから熱雑音が重畳された信号が中継装置から送出されることはなく、通信の伝送速度の低下を招かないようになる。さらに、パッシブ中継装置であることから技術適合認定や無線局申請を必要としないようになる。従って、本発明のパッシブ中継装置は干渉雑音や熱雑音を低減できると共に通信の伝送速度の低下を招くことなく十分な中継利得を確保することができると共に、煩雑な技術適合認定や無線局申請の業務を不要とすることができる。
【発明を実施するための最良の形態】
【０００９】
符号分割多元接続を利用する通信網における不感地帯や干渉地帯に設置するパッシブ中継装置であって、干渉雑音や熱雑音を低減できると共に中継利得の高い中継装置を提供するという目的を、特定の複数の基地局からの到来波にそれぞれ向けたビームを形成している複数のアンテナを備える能動回路を有しないパッシブ中継装置であって、不感地帯や干渉地帯において特定の複数の基地局を利用するソフトハンドオーバやソフターハンドオーバが可能となるようにしたことで実現した。
【実施例１】
【００１０】
本発明のパッシブ中継装置の実施例１の構成を図１に示す。
図１に示す本発明の実施例１のパッシブ中継装置１は、Ｗ−ＣＤＭＡ等のＣＤＭＡを利用する携帯電話通信網のパッシブ中継装置とされている。このパッシブ中継装置１は、不感地帯や干渉地帯の外側の受信可能エリアに設置した対基地局アンテナ１０と対基地局アンテナ１１との２本の対基地局アンテナを備えている。また、不感地帯や干渉地帯の内側に設置した対子機アンテナ２０と対子機アンテナ２１との２本の対子機アンテナを備えている。対基地局アンテナ１０は伝送損失の小さい中継ケーブル２２により対子機アンテナ２０と接続されて、対基地局アンテナ１０で受信された信号が対子機アンテナ２０から再放射されて中継され、対子機アンテナ２０で受信された信号が対基地局アンテナ１０から再放射されて中継される。また、対基地局アンテナ１１は伝送損失の小さい中継ケーブル２３により対子機アンテナ２１と接続されて、対基地局アンテナ１１で受信された信号が対子機アンテナ２１から再放射されて中継され、対子機アンテナ２１で受信された信号が対基地局アンテナ１１から再放射されて中継される。このように、実施例１のパッシブ中継装置１は能動回路を有していない。
【００１１】
対基地局アンテナ１０は指向性の鋭いアンテナとされており、設置場所において基地局Ａが支配的な基地局であったとする。そこで、対基地局アンテナＡで形成されたビームを基地局Ａからの到来波に向けるようにする。これにより、対基地局アンテナ１０は基地局Ａとの通信は行えるが、基地局Ａに隣接する基地局Ｂおよび基地局Ｃとは通信を行えないようになる。また、対基地局アンテナ１１も指向性の鋭いアンテナとされており、設置場所において基地局Ｂが支配的な基地局であったとする。そこで、対基地局アンテナ１１で形成されたビームを基地局Ｂに向けるようにする。これにより、対基地局アンテナ１１は基地局Ｂとの通信は行えるが、基地局Ｂに隣接する基地局Ａおよび基地局Ｃとは通信を行えないようになる。この結果、対基地局アンテナ１０で受信された信号を再放射する対子機アンテナ２０からは、基地局Ａから送出された信号だけが送出されるようになり、対基地局アンテナ１１で受信された信号を再放射する対子機アンテナ２１からは、基地局Ｂから送出された信号だけが送出されるようになる。
【００１２】
すなわち、図１に示すように不感地帯や干渉地帯には対子機アンテナ２０からの再放射により基地局ＡのサービスエリアであるエリアＡが形成されると共に、エリアＡに重なるように対子機アンテナ２１からの再放射により基地局ＢのサービスエリアであるエリアＢが形成されるようになる。これにより、図１に示すようにエリアＡとエリアＢとの重なる部分に位置する子機２４においては、エリアＡとエリアＢからの信号を時間的にオーバラップして送受信するソフトハンドオーバを行うことができ、これにより中継利得を向上することができるようになる。さらに、不感地帯や干渉地帯には基地局Ａおよび基地局Ｂからの信号しか中継されず、干渉雑音成分が中継されないことから、不感地帯や干渉地帯のＳＩＲも良好となってサービスエリアが拡張されるようになる。
【００１３】
上記したように、本発明の実施例１のパッシブ中継装置１においては、不感地帯や干渉地帯において基地局Ａのサービスエリアと基地局Ｂのサービスエリアを形成することができ、これにより、不感地帯や干渉地帯に位置する子機２４においてソフトハンドオーバを行って通信することができるようになる。これにより、パッシブ中継装置１の中継利得を向上することができる。また、この場合、対基地局アンテナ１０（１１）のビームは基地局Ａ（Ｂ）からの到来波に向けられて基地局Ａ（Ｂ）が支配的となって、他の基地局からの信号はほとんど受信しないようになるため、不感地帯や干渉地帯に干渉雑音成分となる他の基地局からの信号はほとんど再放射されずＳＩＲが劣化することを防止することができる。これにより、不感地帯や干渉地帯におけるＳＩＲが良好となってパッシブ中継装置１のサービスエリアを拡大することができるようになる。
【００１４】
さらに、本発明のパッシブ中継装置１は能動回路を有していないことから、不感地帯や干渉地帯から中継した信号に増幅手段等の能動素子による熱雑音が重畳されることはなく、中継により携帯電話通信網のＳＩＲが劣化して伝送速度の低下を招かないようになる。さらにまた、子機２４は基地局Ａ（Ｂ）がダウンしても基地局Ｂ（Ａ）と通信を行うことができることから、メンテナンスフリーとすることができる。
【実施例２】
【００１５】
本発明のパッシブ中継装置の実施例２の構成を図２に示す。
図２に示す本発明の実施例２のパッシブ中継装置２は、Ｗ−ＣＤＭＡ等のＣＤＭＡを利用する携帯電話通信網のパッシブ中継装置とされている。このパッシブ中継装置２は、不感地帯や干渉地帯の外側の受信可能エリアに設置した対基地局アンテナ１０と対基地局アンテナ１１との２本の対基地局アンテナを備えている。また、不感地帯や干渉地帯の内側に設置した対子機アンテナ２０と対子機アンテナ２１との２本の対子機アンテナを備えている。対基地局アンテナ１０は伝送損失の小さい中継ケーブル２２により対子機アンテナ２０と接続されて、対基地局アンテナ１０で受信された信号が対子機アンテナ２０から再放射されて中継され、対子機アンテナ２０で受信された信号が対基地局アンテナ１０から再放射されて中継される。また、対基地局アンテナ１１は伝送損失の小さい中継ケーブル２３により対子機アンテナ２１と接続されて、対基地局アンテナ１１で受信された信号が対子機アンテナ２１から再放射されて中継され、対子機アンテナ２１で受信された信号が対基地局アンテナ１１から再放射されて中継される。このように、実施例２のパッシブ中継装置２は能動回路を有していない。
【００１６】
基地局Ａは、例えば３セクタを有しておりそれぞれのセクタには相互に異なる拡散符号が割り当てられていると共に異なる方向を向くビーム１，ビーム２，ビーム３により各セクタが形成されている。対基地局アンテナ１０および対基地局アンテナ１１は指向性の鋭いアンテナとされており、対基地局アンテナ１０により形成されたビームは当該アンテナにおいて支配的な例えば基地局Ａのビーム３のセクタ（以下、「セクタ３」という）からの到来波に向けられており、対基地局アンテナ１１により形成されたビームは当該アンテナにおいて支配的な、例えば基地局Ａのビーム２のセクタ（以下、「セクタ２」という）からの到来波に向けられている。このため、対基地局アンテナ１０は基地局Ａのセクタ３との通信は行えるものの、基地局Ａに隣接する基地局Ｂおよび基地局Ｃ、および、基地局Ａの他のセクタ１，２との通信は行えないようになる。また、対基地局アンテナ１１は基地局Ａのセクタ２との通信は行えるものの、基地局Ａに隣接する基地局Ｂおよび基地局Ｃ、および、基地局Ａの他のセクタ１，３との通信は行えないようになる。このため、対基地局アンテナ１０で受信された信号を再放射する対子機アンテナ２０からは、基地局Ａのセクタ３から送出された信号だけが送出されるようになり、対基地局アンテナ１１で受信された信号を再放射する対子機アンテナ２１からは、基地局Ａのセクタ２から送出された信号だけが送出されるようになる。
【００１７】
すなわち、図２に示すように不感地帯や干渉地帯には対子機アンテナ２０からの再放射により基地局Ａにおけるセクタ３のエリアＡが形成されると共に、エリアＡに重なるように対子機アンテナ２１からの再放射により基地局Ａにおけるセクタ２のエリアＢが形成されるようになる。これにより、図２に示すようにエリアＡとエリアＢとの重なる部分に位置する子機２４においては、エリアＡとエリアＢからの信号を時間的にオーバラップして送受信するソフターハンドオーバ（この場合、複数のセクタによるソフトハンドオーバになるので、「ソフターハンドオーバ」という）を行うことができ、これにより中継利得を向上することができるようになる。さらに、不感地帯や干渉地帯には基地局Ａのセクタ２およびセクタ３からの信号しか中継されず、干渉雑音成分が中継されないことから、不感地帯や干渉地帯のＳＩＲも良好となってサービスエリアが拡張されるようになる。
【００１８】
上記したように、本発明の実施例２のパッシブ中継装置２においては、不感地帯や干渉地帯において基地局Ａの異なる複数のセクタを形成することができ、これにより、不感地帯や干渉地帯に位置する子機２４においてソフターハンドオーバを行って通信することができるようになる。これにより、パッシブ中継装置２の中継利得を向上することができる。また、この場合、対基地局アンテナ１０（１１）のビームは基地局Ａのセクタ３（２）に向けられて基地局Ａのセクタ３（２）が支配的となって、他のセクタおよび他の基地局からの信号はほとんど受信しないようになるため、不感地帯や干渉地帯に干渉雑音成分となる他のセクタおよび基地局からの信号はほとんど再放射されずＳＩＲが劣化することを防止することができる。これにより、不感地帯や干渉地帯におけるＳＩＲが良好になってパッシブ中継装置２のサービスエリアを拡大することができるようになる。
【００１９】
さらに、本発明のパッシブ中継装置２は能動回路を有していないことから、不感地帯や干渉地帯から中継した信号に増幅手段等の能動素子による熱雑音が重畳されることはなく、中継により携帯電話通信網のＳＩＲが劣化して伝送速度の低下を招かないようになる。さらにまた、子機２４は基地局Ａのセクタ３（２）がダウンしても基地局Ａのセクタ２（３）と通信を行うことができることから、メンテナンスフリーとすることができる。
【実施例３】
【００２０】
本発明のパッシブ中継装置の実施例３の構成を図３に示す。
図３に示す本発明の実施例３のパッシブ中継装置３は、Ｗ−ＣＤＭＡ等のＣＤＭＡを利用する携帯電話通信網のパッシブ中継装置とされている。このパッシブ中継装置３は、不感地帯や干渉地帯の外側の受信可能エリアに設置した対基地局アンテナ３０と対基地局アンテナ３１と対基地局アンテナ３２との３本の対基地局アンテナを備えている。また、不感地帯や干渉地帯の内側に設置した対子機アンテナ４１と対子機アンテナ４２と対子機アンテナ４３との３本の対子機アンテナを備えている。対基地局アンテナ３０は伝送損失の小さい中継ケーブル４４により対子機アンテナ４１と接続されて、対基地局アンテナ３０で受信された信号が対子機アンテナ４１から再放射されて中継され、対子機アンテナ４１で受信された信号が対基地局アンテナ３０から再放射されて中継される。また、対基地局アンテナ３１は伝送損失の小さい中継ケーブル４５により対子機アンテナ４２と接続されて、対基地局アンテナ３１で受信された信号が対子機アンテナ４２から再放射されて中継され、対子機アンテナ４２で受信された信号が対基地局アンテナ３１から再放射されて中継される。さらに、対基地局アンテナ３２は伝送損失の小さい中継ケーブル４６により対子機アンテナ４３と接続されて、対基地局アンテナ３２で受信された信号が対子機アンテナ４３から再放射されて中継され、対子機アンテナ４３で受信された信号が対基地局アンテナ３２から再放射されて中継される。
【００２１】
基地局Ｂは、例えば３セクタを有しておりそれぞれのセクタには相互に異なる拡散符号が割り当てられていると共に異なる方向を向くビーム１，ビーム２，ビーム３により形成されている。対基地局アンテナ３０は指向性の鋭いアンテナとされており、対基地局アンテナ３０により形成されたビームは当該アンテナにおいて支配的な例えば基地局Ａからの到来波に向けられている。このため、対基地局アンテナ３０は基地局Ａとの通信は行えるものの、基地局Ａに隣接する基地局Ｂの各セクタおよび基地局Ｃとの通信は行えないようになる。また、対基地局アンテナ３１および対基地局アンテナ３２も指向性の鋭いアンテナとされており、対基地局アンテナ３１により形成されたビームは当該アンテナにおいて支配的な例えば基地局Ｂのビーム３のセクタ（以下、「セクタ３」という）に向けられており、対基地局アンテナ３２により形成されたビームは当該アンテナにおいて支配的な、例えば基地局Ｂのビーム２のセクタ（以下、「セクタ２」という）に向けられている。このため、対基地局アンテナ３１は基地局Ｂのセクタ３との通信は行えるものの、基地局Ｂに隣接する基地局Ａおよび基地局Ｃ、および、基地局Ｂの他のセクタ１，２とは通信を行えないようになる。また、対基地局アンテナ３２は基地局Ｂのセクタ２とは通信を行えるものの、基地局Ｂに隣接する基地局Ａおよび基地局Ｃ、および、基地局Ｂの他のセクタ１，３とは通信を行えないようになる。このため、対基地局アンテナ３０で受信された信号を再放射する対子機アンテナ４１からは、基地局Ａから送出された信号だけが送出されるようになり、対基地局アンテナ３１で受信された信号を再放射する対子機アンテナ４２からは、基地局Ｂのセクタ３から送出された信号だけが送出されるようになり、対基地局アンテナ３２で受信された信号を再放射する対子機アンテナ４３からは、基地局Ｂのセクタ２から送出された信号だけが送出されるようになる。
【００２２】
すなわち、図３に示すように不感地帯や干渉地帯には対子機アンテナ４１からの再放射により基地局ＡのサービスエリアであるエリアＡが形成されると共に、エリアＡに重なるように対子機アンテナ４２からの再放射により基地局Ｂにおけるセクタ３のエリアＢが形成され、さらに、エリアＡおよびエリアＢに重なるように対子機アンテナ４３からの再放射により基地局Ｂにおけるセクタ２のエリアＣが形成されるようになる。これにより、図３に示すようにエリアＡ、エリアＢとエリアＣとの重なる部分に位置する子機２４においては、エリアＡ、エリアＢ、エリアＣからの信号を時間的にオーバラップして送受信するソフトハンドオーバおよびソフターハンドオーバを行うことができ、これにより中継利得を向上することができるようになる。さらに、不感地帯や干渉地帯には基地局Ａ、基地局Ｂにおけるセクタ２，３からの信号しか中継されず干渉雑音成分は中継されないことから、ＳＩＲも良好になってサービスエリアが拡張されるようになる。
【００２３】
上記したように、本発明の実施例３のパッシブ中継装置３においては、不感地帯や干渉地帯において基地局Ａのサービスエリアおよび基地局Ｂの異なる複数のセクタを形成することができ、これにより、不感地帯や干渉地帯に位置する子機２４においてソフトハンドオーバおよびソフターハンドオーバを行って通信することができるようになる。これにより、パッシブ中継装置３の中継利得を向上することができる。また、この場合、対基地局アンテナ３０のビームは基地局Ａに向けられて基地局Ａが支配的となって基地局Ｂの各セクタおよび他の基地局からの信号はほとんど受信しないようになるため、不感地帯や干渉地帯に干渉雑音成分となる基地局Ｂの各セクタおよび他の基地局からの信号はほとんど再放射されずＳＩＲが劣化することを防止することができる。また、対基地局アンテナ３１（３２）のビームは基地局Ｂのセクタ３（２）に向けられており基地局Ｂのセクタ３（２）が支配的となって基地局Ａおよび基地局Ｂの他のセクタ１，２（１，３）からの信号はほとんど受信しないようになるため、不感地帯や干渉地帯に干渉雑音成分となる信号はほとんど再放射されずＳＩＲが劣化することを防止することができる。これにより、不感地帯や干渉地帯におけるＳＩＲが良好になってパッシブ中継装置３のサービスエリアを拡大することができるようになる。
【００２４】
さらに、本発明のパッシブ中継装置３は能動回路を有していないことから、不感地帯や干渉地帯から中継した信号に増幅手段等の能動素子による熱雑音が重畳されることはなく、中継により携帯電話通信網のＳＩＲが劣化して伝送速度の低下を招かないようになる。さらにまた、子機２４は基地局Ａあるいは基地局Ｂのセクタ３（２）がダウンしても残る基地局Ａや基地局Ｂのセクタ２（３）と通信を行うことができることから、メンテナンスフリーとすることができる。
【００２５】
以上説明した本発明にかかる実施例１ないし実施例３のパッシブ中継装置において、対基地局アンテナは、鋭いビームを形成することのできる八木アンテナ等の多素子アンテナやパラボラアンテナ等の反射手段を有するアンテナとすることができる。また、対子機アンテナは無指向性アンテナでも指向性アンテナでも良く、例えばパッチアンテナとされる。なお、対基地局アンテナで形成されたビームは、基地局からの到来波に向けられており、到来波は一般的には伝播損失の最も少ない直接波とされるが、直接波より反射波の方が強い場合もあり反射波を到来波とするようにしてもよい。
【産業上の利用可能性】
【００２６】
なお、以上の説明ではＷ−ＣＤＭＡにおけるパッシブ中継装置としたが、本発明は、これに限るものではなくＣＤＭＡを利用する通信網の中継装置に適用することができる。
【図面の簡単な説明】
【００２７】
【図１】本発明のパッシブ中継装置の実施例１の構成を示す図である。
【図２】本発明のパッシブ中継装置の実施例２の構成を示す図である。
【図３】本発明のパッシブ中継装置の実施例３の構成を示す図である。
【図４】従来の中継装置の構成を示す図である。
【符号の説明】
【００２８】
１  パッシブ中継装置、２  パッシブ中継装置、３  パッシブ中継装置、１０  対基地局アンテナ、１１  対基地局アンテナ、２０  対子機アンテナ、２１  対子機アンテナ、２２  中継ケーブル、２３  中継ケーブル、２４  子機、３０  対基地局アンテナ、３１  対基地局アンテナ、３２  対基地局アンテナ、４１  対子機アンテナ、４２  対子機アンテナ、４３  対子機アンテナ、４４  中継ケーブル、４５  中継ケーブル、４６  中継ケーブル、１００  中継装置、１０１  基地局アンテナ、１０１  対基地局アンテナ、１０２  中継増幅器、１０３  対子機アンテナ、１０４  子機
【図１】
2005252938.tif 000003
【図２】
2005252938.tif 000004
【図３】
2005252938.tif 000005
【図４】
2005252938.tif 000006